(57)【特許請求の範囲】
【請求項１】
少なくとも１つの基地局と複数の割当てられた端末を有するユーザデータと制御データを交換するためのワイヤレスネットワークであって、
前記基地局は少なくとも１つの端末の少なくとも１つのシグナリングシーケンスの開始時間を送信するために設けられ、
前記基地局は、受信したシグナリングシーケンスの相関を取り、受信し相関を取ったシグナリングシーケンスから発生したパルスを検出する装置を有し、
端末は、バーカーシーケンスである第１のコードシーケンスと、ゴールドシーケンスである第２のコードシーケンスの畳込みによってシグナリングシーケンスを生成するために設けられることを特徴とするワイヤレスネットワーク。
【請求項２】
前記第１のコードシーケンスは１３の時間間隔を有するバーカーシーケンスであり、前記第２のコードシーケンスは２５６の時間間隔を有するゴールドシーケンスであることを特徴とする請求項１に記載のワイヤレスネットワーク。
【請求項３】
基地局は、前記第１のコードシーケンスと前記第２のコードシーケンスの畳込みによって生成されたシグナリングシーケンスが受信された後に少なくとも１つのパルスを生成するため、２つの連続して接続された整合フィルタもしくは１つの整合フィルタ、及び整合フィルタの下流に接続された１つの不整合フィルタを有し、ピーク検出器を有し、
該ピーク検出器は、開始時間と期間がチャネル特性とシグナリングシーケンスの開始時間によって決定される特定の検出ウィンドウの間、少なくとも端末に割当てられたパルスを検出するようにしたことを特徴とする請求項１又は２に記載のワイヤレスネットワーク。
【発明の詳細な説明】
【０００１】
【発明の属する技術分野】
本発明は、ユーザデータと制御データを交換するための、少なくとも１つの基地局と複数の関連する端末を有するワイヤレスネットワークに関する。
【０００２】
【従来の技術】
文書"ETSI SMG2, Meeting No.24,Cork Ireland,1-5 December 1997, Tdoc SMG2 359/97,Concept Group Alpha-Wideband Direct-Sequence CDMA(WCDMA),EVALUATION  DOCUMENT(3.0),Part1:System Description,Performance Evaluation"は、ＣＤＭＡ（ＣＤＭＡ＝符号分割多重アクセス）に基づき動作する無線ネットワークを提案している。無線ネットワークは複数の無線セルからなり、各々の基地局及び端末もしくは移動局はこれらの無線セルに位置する。端末の登録及び同期の後、例えば、ユーザチャネルの要求の場合、端末はランダムアクセスチャネルを介してランダムアクセスバーストを送信する（ＲＡＣＨ）。ランダムアクセスバーストは、プリアンブル部とデータ部を有する。プリアンブル部は直交ゴールド（Ｇｏｌｄ）コード（プリアンブルコード）により拡散された１６シンボル（プリアンブルシーケンス）を有する。ゴールドコードは２５６のチップ間隔を含む。データ部は、端末の識別子を有するフィールド、要求されたサービス（ショートパケット伝送、専用チャネルセットアップ等）を特色とするフィールド、データパケット（オプションのユーザパケット）のためのオプションのフィールド、及び誤り検出のためのＣＲＣフィールドを含む。基地局から受信したランダムアクセスバーストは、整合フィルタ、プリアンブル相関器、及びピーク検出器を介して、データ部の時間遅延を推定し、データ部を評価するためのＲＡＫＥ回路を制御する回路部に入力される。従って、この場合、相関及び次に続くメッセージ復号化に基づくピーク検出が使用される。８０のランダムアクセスチャネルが基地局に割当てられた端末にとって使用可能である。これらのチャネルは１６の異なるプリアンブルコード及び５つの異なる伝送時点により決定される。
【０００３】
【発明が解決しようとする課題】
２つもしくはそれ以上の端末が同一のランダムアクセスチャネルを介して送信する場合、すなわち、同じプリアンブルコードと同じ伝送時点が選択される場合、衝突が起こることになり、端末により送信された情報が正確に基地局で評価できない。そのような衝突は高トラヒック負荷において特に起こりやすい。
【０００４】
本発明は、端末が、それが割当てられた基地局とシグナリング情報を異なるように交換するワイヤレスネットワークを提供することを目的とする。
【０００５】
【課題を解決するための手段】
その目的はそのような種類のワイヤレスネットワークであって次の特徴を有するものによって達成でき、前記基地局は少なくとも１つの端末の少なくとも１つのシグナリングシーケンスの開始時間を送信し、前記基地局は、受信したシグナリングシーケンスの相関を取り、受信し相関を取られたシグナリングシーケンスから発生したパルスを検出する装置を有し、端末は２つのコードシーケンスを畳込むことによってシグナリングシーケンスを生成する。
【０００６】
本発明の応用の状況において、本発明におけるワイヤレスネットワークは、各基地局及び複数の端末が制御データ及びユーザデータをワイヤレスの方法で送信する複数の無線セルを有するネットワークを意味するものとして理解されるべきである。ワイヤレス伝送は、例えば、無線、超音波もしくは赤外線チャネルを介して情報を伝送することを目的としている。
【０００７】
登録と同期の後、端末は、ユーザデータを送るために、割当てられた基地局に所定のユーザチャネルを要求しなければならない。そのようなユーザチャネルは、例えば、基地局と端末間もしくは２端末間の専用の（例えば、通話の伝送のための）ユーザチャネルであり得る。そのチャネルは基地局により割当てられる。本発明によれば、端末は、基地局により割当てられたシグナリングチャネルを介して、例えば、専用のユーザチャネルの要求を送信する。基地局は、端末に、少なくとも事前に知ることができるシグナリングシーケンスの開始時間を提供するべきである。開始時間に加え、一方、端末にはまた複数のシグナリングシーケンスの１つが割当てられることが可能である。この種のシグナリングシーケンスは、適当な自己相関及び相互相関特性を有するゴールドもしくは嵩シーケンス（系列）である。基地局は、受信シグナリングシーケンスが相関されるデバイス（例えば、整合フィルタ）を含む。相関から結果として生じるパルスが検出され、端末に割当てられる。シグナリングシーケンスの異なる開始時間のため、また、相関に基づくピーク検出の後にメッセージ復号行われず、シグナリングシーケンスから生ずるパルスの発生がシグナリング要求と考えられるので、本発明では衝突がネットワークで回避されるので、最新技術と比較して、シグナリング検出は、特に高トラヒック負荷の場合に、より耐性がありより速く実行され得る。
【０００８】
シグナリングシーケンスを検出するために、特定の時間間隔が、シグナリングシーケンスの開始時間及びチャネル特性に依存してピーク検出のために選択される。そのような時間間隔は、検出ウィンドウと呼ばれている。検出ウィンドウの長さもしくは期間及び開始時間は、ピーク検出が可能となるように選択されなければならない。検出ウィンドウは、最新技術から知られるランダムアクセスバーストの期間より小さい。従って、本発明におけるシグナリングが使用されるとき、多くの端末は短期間の間にシグナリング要求を送信することができる。
【０００９】
登録と同期の後にシグナリングシーケンスを送信するために、基地局がはっきりと開始時間を変えない限り、無線セルの中の端末は常に、参照フレームについて同一の開始時間を有する。シグナリングチャネルは、従って、端末のために永久的に占有される。そのような多くの開始時間が短期間（例えば、１０ｍｓ）の参照フレームで起こり得るため、及び、無線セルの全ての端末が同一のシグナリングシーケンスを使用することができるため、開始時間とシグナリングシーケンスの端末への永久的な割当ては少しのネットワーク資源しか使用しない。
【００１０】
無線セルにおける全ての端末のシグナリングシーケンスは異なる開始時間を有する。最も単純な場合、同一のシグナリングシーケンスは各端末で使用される。従って、シーケンスの長さは通常２つの連続する開始時間の間隔よりも大きいので、そのシグナリングシーケンスは部分的に重なり合う。
本発明のネットワークの他の利点は、シグナリング要求の認識の信頼性によって提供される。検出できるパルスは、実質的に常にシグナリングシーケンスの伝送の後に生成される。これは、干渉信号及びチャネル雑音が整合フィルタの出力で”人工的な”パルスを発生し得るからである。実際に伝送されたシグナリングシーケンスを受信したときに、それらが整合フィルタの出力にてパルスの振幅を減少させることはほとんどありそうにない。最悪の場合（例えば妨害の場合）、シグナリングシーケンスが伝送されていなくて雑音もしくは干渉信号の振幅が検出閾値を超えると、誤ったアラームが起動される。
【００１１】
長さが延ばされ、シグナリングシーケンスの振幅が同一に保たれると、シグナリングシーケンスの誤りアラーム率（ＦＡＲ）は減少され得る。しかしながら、より長いシグナリングシーケンスはより大きい回路を意味する。拡張されたシグナリングシーケンスのための回路をできるだけ小さく保つために、２つのステップでシグナリングシーケンスを生成することが有利である。この目的のために、第１のコードシーケンスが２つのコードシーケンスに連結され、もしくは畳込まれる。第１のコードシーケンスとして、１３の時間間隔を有するバーカー（Ｂａｒｋｅｒ）シーケンスを使用することができ、第２のコードシーケンスとして２５６の時間間隔を有するゴールドシーケンスを使用することができる。それぞれが良い自己相関機能を有するこれら２つのコードシーケンスの連結は、連結から生じるシグナリングシーケンスの良い自己相関特性を提供する。
【００１２】
２つのコードシーケンスとしてまた、２５６の時間間隔を有するゴールドシーケンス及び１３の時間間隔を有するバーカーシーケンスと異なるシーケンスが選択され得る。これら２つのシーケンスを選択するために、これら２つのコードシーケンスの畳込みの後に生ずるシグナリングシーケンスの自己相関特性は決定的である。
【００１３】
２つのコードシーケンスからなるこのようなシグナリングシーケンスを検出するために、基地局は、２つの畳込まれたコードシーケンスからシグナリングシーケンスが受信された後に少なくとも１つのパルスを生成するため、２つの連続した整合フィルタもしくは１つの整合フィルタ、及びその回路の下流に１つの不整合フィルタを有し、ピーク検出器を有する。開始時間と期間がチャネル特性とシグナリングシーケンスの開始時間によって決定されるある検出ウィンドウの間、ピーク検出器は、少なくとも端末に割当てられたパルスを検出する。
【００１４】
本発明のこれら及び他の側面は、以下で説明される実施例から明らかになる。
【００１５】
【発明の実施の形態】
図１は、例えば、複数の基地局１から３及び複数の端末４から１４を有する無線ネットワークであるワイヤレスネットワークを示す。基地局１から３にはある端末４から７が割当てられている。図１に示す例では、基地局１は端末４から７が割当てられ、基地局２には端末８から１０が割当てられ、基地局３には端末１１から１４が割当てられている。制御データの交換は少なくとも基地局と端末間で行われる。ユーザデータの交換は、端末間で直接行われ得るとともに、基地局と端末間でも行われ得る。両方の場合において、ユーザデータの伝送のリンクは、基地局により設定される。端末４から１４は通常、固定された基地局１から３により制御される移動局である。しかし、基地局１から３はまた移動するものであり得る。
【００１６】
例えば、ワイヤレスネットワークにおいて、無線信号は、ＦＤＭＡ、ＴＤＭＡ，もしくはＣＤＭＡの方法（ＦＤＭＡ＝周波数分割多重アクセス、ＴＤＭＡ＝時分割多重アクセス、ＣＤＭＡ＝符号分割多重アクセス）に準拠し、もしくはこれらの方法の組み合わせに準拠して送信される。
特別のコード拡散方法であるＣＤＭＡの方法によれば、ユーザから発生したバイナリ情報（データ信号）は、毎回異なるコードシーケンスで変調される。そのようなコードシーケンスは、擬似ランダム方形波信号（擬似雑音コード）からなり、チップレートとも称されるその速さ（レート）Ｎは一般的にバイナリ情報のレートより相当に高い。擬似ランダム方形波信号の方形波パルスの時間は、チップ間隔ＴC として参照される。１／ＴC はチップレートである。擬似ランダム方形波信号でのデータ信号の多重化もしくは変調は、拡散比ＮC ＝Ｔ／ＴC によるスペクトラムの拡散を起こす。ここで、Ｔはデータ信号の方形波パルスの時間である。
【００１７】
特定の無線セルが基地局に割り当てられ、その無線セルでは無線セルに位置する関連する端末とのデータトラフィックが発生する。端末が１つの無線セルから他に移動するとき、端末の割当ては、所定の仕様に準拠して、１つの基地局から他に移る。そして、１つの無線セルから他に移動すると、そのような端末は、両方の無線セルの基地局と同じにデータを交換できる。これはソフトハンドオーバと称される。無線セルは図１の点線の円で示される。
【００１８】
ユーザデータと制御データは、基地局により特定されたチャネルを経由して少なくとも１つの端末と基地局間を伝送される。基地局から端末への無線リンクはダウンリンクと称され、端末から基地局への無線リンクはアップリンクと称される。従って、基地局から端末へはダウンリンクチャネルを介してデータが伝送され、端末から基地局へはアップリンクチャネルを介してデータが伝送される。例えば、リンクの設定前に基地局から全ての端末に制御データを分配するために使用されるダウンリンク制御チャネルが提供され得る。この種のチャネルは、ダウンリンク分配制御チャネルもしくはブロードキャスト制御チャネルと称される。端末から基地局へのリンクの確立の前に制御データを送るために、例えば、基地局により割当てられ、しかしまた他の端末からアクセスされ得るアップリンク制御チャネルを使用し得る。いくつかのもしくは全ての端末により使用され得るアップリンクチャネルは共通アップリンクチャネルと称される。例えば端末と基地局間でリンクが設定された後、ユーザデータはダウンリンクチャネル及びアップリンクチャネルを介して送信される。２端末間のユーザデータの直接伝送においては、ピアツーピアのユーザチャネルと称されるチャネルが使用される。１つの送信機と１つの受信機間でのみ設定されるチャネルは専用チャネルと称される。原則として、ユーザチャネルは、リンク固有の制御データの伝送のための専用制御チャネルが付随し得る。
【００１９】
チャネルは、周波数範囲、時間範囲、例えばＣＤＭＡの方法の場合には拡散コードによって規定される。基地局と端末間でのユーザデータの交換を可能とするために、端末を基地局と同期させることが必要である。例えば、ＦＤＭＡとＴＤＭＡの組み合わせの方法が使用されるＧＳＭシステム（移動通信のためのグローバルシステム）において、指定されたパラメータに基づき適切な周波数範囲が決定した後、データの伝送を順番に並べるためにフレームの時間依存の位置（フレーム同期）が決定される、ということが知られている。そのようなフレームは常に、ＴＤＭＡ、ＦＤＭＡ及びＣＤＭＡの方法の場合に、端末と基地局のデータ同期のために必要となる。この種のフレームはいくつかのサブフレームを含み得、もしくは、複数の他の連続したフレームと一緒にスーパーフレームを形成し得る。簡単のため、以下の説明は、参照フレームと称される１つのフレームの仮定に基づく。
【００２０】
フレーム同期を可能とするために、全ての端末は、基地局により送信されるパルスにより基地局と同期しなければならない。コード拡散方法（例えばＣＤＭＡの方法）が使用されない場合（例えばＴＤＭＡの方法が使用される場合）、パルス時間は１ビットの伝送のために必要な時間間隔と正確に一致する。コード拡散方法が使用されるときは、パルス時間は１つのチップ間隔と一致する。そして、ビット間隔は、複数のチップ間隔に一致する。フレーム同期は、基地局による特別のパルスシーケンスの伝送を必要とする。パルスシーケンスの開始時間はフレームの開始時間に一致する。
【００２１】
以降、端末は既に基地局と同期し、そこに登録されていると仮定する。端末（例えば、図１の端末４から７のうちの１つ）がユーザデータを送信し受信できる前に、関連する基地局（例えば、図１の基地局１）によって、ダウンリンク及びアップリンク接続のためのユーザチャネルもしくはピアツーピアユーザチャネルが割当てられなければならない。この目的のために、ランダムに選択され得るフレームの間、基地局（例えば、図１の基地局１）は割当てられた端末（例えば、端末４から７）にダウンリンクブロードキャスト制御チャネルを介して制御データを送信する。これらの制御データは、端末に、端末が特別のシグナリングシーケンスを送信し得るフレームを基準とする時点（シーケンス開始時間）を通知する。端末から送信されたそのようなシグナリングシーケンスは、擬似ランダム方形波信号であり、関連する端末がユーザチャネルを要求することを示す。従って、シグナリングシーケンスを送信するために、基地局は、シグナリングシーケンスが送信されるアップリンクシグナリングチャネルを各端末に割当てる。制御データの送信を制限するために、基地局は各端末で１回のみ、シグナリングシーケンスとシーケンス開始時間の割当てを実行できる。このことは、例えば、割当てられた基地局において、端末の登録の間に行われ得る。しかしながら、シーケンス開始時間の割当てはまた、基地局と端末間のリンクの異なるチャネル特性に依存して（詳細を後に説明するように）起こり得る。本発明によるシグナリングチャネルは与えられたシグナリングシーケンスとその開始時間によって実現される。
【００２２】
基地局の割り当てられた全ての端末は、異なる時点（シーケンス開始時間）で、同じシグナリングシーケンスを送信する。その結果、異なる基地局は、割り当てられたもしくは登録された端末に、異なるシグナリングシーケンスを割り当てる。しかし、これに関し、隣接する基地局のみがそれぞれ異なるシグナリングシーケンスを有する場合にそれは満足される。端末が、例えば１つの無線セルから他へチェンジオーバして、２つの基地局に登録される場合、それは、ユーザチャネルが要求された基地局により特定されるシグナリングシーケンスを送信する。
【００２３】
基地局は単一の整合フィルタと、端末により伝送されたシグナリングシーケンスの検出のための次に続くピーク検出器を有する。整合フィルタは、コード拡散が使用される場合には少なくとも最大のチップレートと等しいクロックレートでクロック供給され、もしくは、コード拡散が使用されていない場合には、最大のビットレートと等しいクロックレートでクロック供給される。端末は、適切な自己相関特性を有するシグナリングシーケンスを送信する。このことは、整合フィルタの出力で発生し、異なる端末からの連続するシグナリングシーケンスから生ずるパルスが、１つの検出ウィンドウ内でピーク検出器により曖昧さなく検出できることを意味している。最大チップレートもしくはビットレートに応じたクロックレートの選択及び適切な自己相関特性を有するシグナリングシーケンスは、連続するシグナリングシーケンスの開始時間間の最小時間依存距離を可能とする。更に、そのシグナリングシーケンスはまた、適切な相互相関特性を有するべきである。すなわち、ネットワークにおいて伝送される他の信号とだけは相関を持つべきでない。それゆえ、一方では、ネットワークを伝送され整合フィルタによって受信される他の信号は、ピーク検出器によって無視しても構わない雑音信号として解釈される。他方では、そのシグナリングシーケンスは、ネットワークを伝送される他の信号を処理する基地局における他の回路エレメントによって無視できる雑音もしくは干渉信号として解釈される。適切な自己相関特性及び相互相関特性を有するこの種のシグナリングシーケンスは、例えばゴールド及び嵩シーケンスであり、それは、J.G. Proakisによる”J.G. Proakis: Digital Communications”Third Edition, McGraw-Hill International Edition,1995,の本pp.724から729 により知られている。
【００２４】
整合フィルタの出力において現れるパルスはシグナリングシーケンスのエネルギーの尺度である。シグナリングシーケンスの長さと振幅は、送信される他の信号と異なり低く、それゆえ、整合フィルタの出力におけるパルスレベルを決定する。
シグナリングシーケンスのシーケンス開始時間は基地局により定められるべきである。それで、基地局における整合フィルタは、割当てられた端末からのシグナリングシーケンスを所定の検出ウィンドウ内で検出した後、パルスを生成する。この検出ウィンドウは期間もしくは長さδを有している。
【００２５】
原則として、シグナリングシーケンスは、任意のシーケンス開始時間にて送信され得る。シーケンス開始時間は、整合フィルタの出力におけるパルスの出現と結びついている。その検出は、シグナリングシーケンスの送信及び遅延の後に開始する。その遅延は、少なくとも１つの端末及び基地局間のリンクのチャネル特性によって発生するものである。チャネル特性は、チャネルの物理特性を意味するものとして理解されるべきである。チャネル特性は、例えば端末と基地局間距離の結果である。従って、ピーク検出器は、種々の端末のために、異なる幅の検出ウィンドウを使用することがあり得る。しかし、簡単のため、ここでは統一された幅の検出ウィンドウが選択される。図２は、長さＦＲの参照フレームについての期間δの検出ウィンドウの連続する任意の発生を示す。受信シグナリングシーケンスに基づき、整合フィルタは通常、主パルスと通常は主パルスの周囲に対称的にある幾つかの副パルスを有するパルスシーケンスを生成する。副パルスの振幅は普通主パルスの振幅より小さい。
【００２６】
整合フィルタの出力に現れ、チャネルによってゆがめられた種々の端末からのパルスシーケンスが、曖昧さない検出がなされないように重なることがないことを確認するために、整合フィルタによって生成される種々の主パルスは、十分なガードタイムを持たなければならない。所定の重なりの場合、基地局は曖昧さなくパルスを端末に割当てることができない。従って、検出ウィンドウの幅もしくは期間δはチャネルにより影響を受けずに発生する主パルスの幅と、追加のチャネル依存安全間隔の和と少なくとも等しくなければならない。これはまた、連続する等しいシグナリングシーケンス間の距離も提供する。しかしながら、異なる基地局からの２つの異なるシグナリングシーケンスの時間依存の距離は考慮する必要はない。なぜならば、弱い相関により、整合フィルタのダウンストリームに接続されたピーク検出器は、他の基地局もしくは無線ゾーンからのシグナリングシーケンスを非妨害雑音として検出することを確かにするからである。
【００２７】
所定の時間間隔の中でできるだけ多くのシグナリングシーケンスを伝送することを可能とするために、本発明によれば、シーケンス開始時間の間隔は最適化され得る。このことは、検出ウィンドウの幅がいつも端末と基地局間のチャネル特性に依存して決定されることを意味する。より単純な方法により実現され得る、本発明による他の可能性は、シグナリングシーケンスが一定の間隔で連続して送られるものである。一定の間隔が決定すると、最悪のチャネル特性が考慮される。図３は、所定の一定の間隔で送信されるシグナリングシーケンスの結果として発生する長さＦＲの参照フレームについての連続した検出ウィンドウを示す。
【００２８】
図４は、それぞれシーケンス期間もしくはシーケンス長さＬ1 とＬ2 を有する２つのシグナリングシーケンスＳ1 とＳ2 を例として示す。チャネル特性により課される遅延時間ｐ1 とｐ2 の後、検出動作もしくは長さδの検出ウィンドウが開始する。シグナリングシーケンスに関連する主パルスと副パルスがそのような検出ウィンドウの中で発生する。
【００２９】
検出ウィンドウの長さδは、特に３つの要因（チャネル特性）により決定される。第１に、端末から基地局に送信されるデータの伝搬遅延の予測の正確さが考慮されなければならない。第２にマルチパス伝搬に基づく遅延拡散特性、第３に端末のシグナリングシーケンスの自己相関特性である。
無線セルにおいて、端末は通常基地局から異なる距離に置かれている。これにより、端末により送信されたシグナリングシーケンスの異なる伝搬遅延をもたらす。端末ＭＴi と基地局Ｂ間の伝搬遅延はｐi と等しくなければならず、シグナリングシーケンスの長さはＬと等しくなければならない。基地局が、時点ｔi における整合フィルタの出力における端末ＭＴi のためのパルスを期待すると、それは、端末ＭＴi に時点ｔi ‐ｐi ‐Ｌでシグナリングシーケンスの送信を開始するように指示する。しかしながら、伝搬遅延ｐi の予測の正確さが制限されているため、整合フィルタの出力におけるパルスは本質的に不正確である。伝搬遅延ｐi の予測のこの不正確さは十分な長い検出ウィンドウδのよって補償されなければならない。全ての端末について予測量の最大の不正確さがｊになると、検出ウィンドウはｊより大きくなければならない。
【００３０】
端末及び基地局間のデータは通常ただ１つの無線リンクを介して送信されるのではなく、いくつかのリンク（マルチパス伝搬）を介する。反射と屈折の効果より、端末から基地局に送信される信号は異なるパスを進行し、そこから発生し異なるパスを進行する信号は異なる時点で基地局により受信される。結果として、整合フィルタの出力において、単一の主パルスがシグナリングシーケンスのために出現するばかりでなく、更なる主パルスが出現する。これらの更なる主パルスは、マルチパス伝搬により生成され実際の主パルスの周りにグループ化された信号のために整合フィルタの出力にて発生する。実際の主パルスは実際に受信したシグナリングシーケンスから整合フィルタの出力で生じる。従って、検出ウィンドウの長さδは、実際の主パルスと更なる主パルスを含む長さｗのウィンドウより大きくなければならない。マルチパス伝搬がない場合でも、整合フィルタの出力に実際の主パルスのみでなく副パルスも発生するということは注目すべきである。しかしながら、説明した適切な自己相関特性によって、副パルスの振幅は主パルスの振幅よりずっと小さい。
【００３１】
シグナリングシーケンスの自己相関特性は、整合フィルタの出力における主パルスの幅と副パルスの最小と最大のための尺度である（チャネル特性を考慮しないで）。ゴールドもしくは嵩シーケンスの場合、整合フィルタの出力における主パルスは、上述したとおり、シグナリングシーケンスのエネルギーとおおよそ等しい。そして、主パルスの振幅は副パルスの振幅よりずっと大きい。シグナリングシーケンスのエネルギーはそれゆえその振幅及び期間もしくは長さにより決定される。他の信号との干渉を減らすために、シグナリングシーケンス（例えばゴールドもしくは嵩シーケンス）の振幅は他の信号のそれよりずっと小さくなければならない。しかしながら、整合フィルタによりシグナリングシーケンスの検出を可能とするために、シグナリングシーケンスは十分に長くなければならない。シグナリングシーケンスの検出の時間はそれゆえ延ばされ、そして、シグナリングシーケンスを送信した端末への基地局によるユーザチャネルの割当てが延ばされる（シグナリング時間の延期）。それゆえ、シグナリングシーケンスの長さは、シグナリング時間とともに、シグナリングシーケンスの自己相関特性に影響を与える。所定のシグナリングシーケンスのための自己相関機能が時間間隔ｑ内で十分に大きい場合、δはｑより大きくなければならない。
【００３２】
検出ウィンドウの長さもしくは期間δは、ｊ、ｗとｑの値の和と等しいように選択されなければならないことに注目すべきである。すなわち、
δ＝ｊ＋ｗ＋ｑ
である。
これまで、検出ウィンドウの期間δが調和よく配置され、ただ１つのシグナリングシーケンスが検出され得るような場合の説明がなされた。このことは、基地局がバイナリ情報信号もしくは１ビット情報信号を受信することを意味する。このバイナリ情報信号は、シグナリングシーケンスを送信した端末が新たなユーザチャネル（検出ウィンドウの期間の間に整合フィルタの出力に存在するパルス）を要求するかもしくは非ユーザチャネル（検出ウィンドウの期間の間に整合フィルタの出力に存在しないパルス）を要求するかどうかを示す。以下、１ビットからｎビット情報信号（ｎは１を超える整数）への伝送の拡張について説明する。ｎビット情報信号を基地局が使用可能とするために、端末は各参照フレーム内で連続して同じシグナリングシーケンスを１回のみでなく数回送信する。１ビットからｎビット情報へのこの拡張は検出ウィンドウの拡大によって達成され、そこでは、検出ウィンドウの期間及び長さは関係する各端末においてｎ倍に増加する。ｎ倍に拡大された検出ウィンドウの発生の間、端末からのｎシグナリングシーケンスはそれゆえ検出される。ｎビット情報信号（シグナリングデータ）を送信する端末は、値δだけ毎回開始時間がシフトした同じシグナリングシーケンスを使用する。そして、送信されたシグナリングシーケンスは、例えば、”１”を示し、送信されていないシグナリングシーケンスは”０”を示す。
【００３３】
図５は同一のシグナリングシーケンスから検出されたパルスの位置の例を示す。パルスの第１のグループＧ１は第１の端末のシグナリングシーケンスと関連し、パルスの第２のグループＧ２は第２の端末のシグナリングシーケンスに関連する。７ビット情報”１１００１１１”はグループＧ１から生じ、情報”０１００１０１”は第２グループＧ２から生じる。
【００３４】
端末によるｎビット情報の送信は種々のシグナリングアプリケーションを可能とする。例えば、３つ連続してシグナリングシーケンスの送信がないことに対応する情報”００００”は、端末がユーザチャネルを要求していないことを意味し得る。情報”００１”は、端末が８ｋｂｉｔ／ｓユーザチャネルを要求することを意味し得る。２つの送信なしシグナリングシーケンス及び１つの送信されたシグナリングシーケンスは情報”００１”を生成する。端末は、情報”０１０”により６４ｋｂｉｔ／ｓのユーザチャネルの要求を、情報”０１１”により１４４ｋｂｉｔ／ｓのユーザチャネルの要求を表すことができる。
【００３５】
そして、基地局の中の整合フィルタはｎビット情報とともに１ビットの受信のためにも準備されている。なぜならば両者の場合に同一のシグナリングシーケンスを受信するからである。これら２つの場合において、唯一の違いは整合フィルタにより検出されたパルスの後処理にある。１ビットの場合、情報処理はシグナリングシーケンスの検出のために期間δの後に行われ、ｎビットの場合には、ｎシグナリングシーケンスの検出のため期間ｎδの後に行われる。
【００３６】
本発明の更なる側面はシグナリングチャネルの数の増加に関係する。単一のシグナリングシーケンスが使用される場合、基地局のシグナリングチャネルの数は値ＦＲ／δに制限される。ここで、ＦＲは参照フレームの長さを示し、δは検出ウィンドウの長さを示す。これに関し、１ビット情報だけが送信され、各検出ウィンドウは同一の長さδを有するものと仮定する。基地局が値ＦＲ／δにより与えられるよりも多くのシグナリングチャネルを割当てたいとすると、それは端末にただ１つのシグナリングシーケンスを割当てる代りに異なるシグナリングシーケンスを割当てる。例えば、１つの参照フレームの間に１００の同一シグナリングシーケンスが整合フィルタにより検出され得る。しかしながら、無線セルの中にシグナリングシーケンスの送信を望む１２０の端末がある場合、その１２０の端末の全てに同一のシグナリングシーケンスを使用することは不可能である。従って、例えば、６０端末は第１のシグナリングシーケンスを送信でき、他の６０端末は第２のシグナリングシーケンスを送信できる。そして、これらのシーケンスは、基地局における２つの異なる整合フィルタによって検出される。また、異なるシグナリングシーケンスのシーケンス開始時間は互いに独立であり、それらは連係する必要はない、ということは注目すべきである。互いに同じシグナリングシーケンスの開始時間に同調することだけでよい。
【００３７】
シグナリングシーケンスが基地局に送信されるとき、ある方法では（例えばＣＤＭＡの方法）送信されたシグナリングシーケンスの振幅は割当てられた基地局への距離に適合されるので、シグナリングシーケンス（図４と比較）の振幅は高過ぎず低過ぎないということを念頭に置くべきである。高すぎる振幅は、例えばＣＤＭＡシステムにおいて、他の信号との干渉が起こり得るということを意味する。その結果、全体のシステムの容量が減少する。低すぎる振幅は、シグナリングシーケンスが正しく受信できないことを意味する。他の信号及び／又は雑音信号による干渉の結果として基地局において正しく検出できないからである。
【００３８】
この問題を解決するために、端末は、通常の状態で基地局により十分良く受信され得る小さな振幅を有するシグナリングシーケンスを送信できる。このシグナリングシーケンスが割当てられた基地局によって検出されると、基地局は端末に要求されたチャネルを割当てる。そのメッセージの受信後、端末はもはやシグナリングシーケンスを送信しない。
【００３９】
シグナリングシーケンスが送信された後の所定の時間の後、割当てられた基地局から応答メッセージを端末が受信しない場合、端末はより高い振幅で新たなシグナリングシーケンスを送信する。端末が所定の時間内に基地局から割当てを受信しない場合、更なるシグナリングシーケンスがまたより高い振幅で送信される。このプロセスは、振幅が所定の最大値に達するまで繰り返されるか、端末がその時間の前に、基地局からチャネル割当てを受信するまで繰り返される。
【００４０】
所定の時間の後に端末が最大の許容振幅でのシグナリングシーケンスに対する応答メッセージを受信しない場合、この全体プロセスはあるランダム時間の後に繰り返されるかシグナリングは省かれる。
シグナリングシーケンスの振幅が可能な限り最小である場合、更なる問題が発生し得る。この問題は誤りアラームレート（ＦＡＲ）の発生に関係する。誤り発生レートは、シグナリングシーケンスが送信されていないにもかかわらず、整合フィルタの下流に接続されるピーク検出器がパルスを検出する確率と等しい。
【００４１】
誤りアラームレートの増加のこの問題は次のようして解決され得る。シグナリングシーケンスが検出された後に基地局がすぐにチャネルを端末に割当てず、与えられた検出ウィンドウ内でｇ（ｇ＞１）の連続するフレームで複数のシグナリングシーケンス（ｈシグナリングシーケンス、ｈ＞１）が検出されるまで基地局は割当てを待つ。基地局における１つの検出パルスにおける誤りアラームレートがｐに等しい場合、ｈの連続した検出パルスの誤りアラームレートはｐh に減少する。
【００４２】
本発明は、例えば、ＧＳＭシステムもしくはＷＢ−ＣＤＭＡに基づくＵＭＴＳ（ＵＭＴＳ＝ユニバーサル移動通信システム）移動無線システムもしくはＣＤ／ＴＤＭＡのような既存の移動無線システムの中の追加の回路部分として実装できる。図６から９は、基地局の受信機（図６）及び送信機（図７）及び端末の受信機（図８）及び送信機を示す。
【００４３】
図６に示す基地局の受信機の構成は、知られた要素として（例えば、ＧＳＭ移動無線システムもしくはＣＤＭＡシステムから）、アンテナ１５、高周波数部１６、中間周波数部１７、アナログ／デジタル変換器１８、復調器１９及び、例えばチャネル多重分離のスイッチング機能、デインタリービング、チャネル復号化及びＣＤＮＡシステムが使用される場合にはまた逆拡散を行うブロック２０を有する。ベースバンドの中で発生する制御及びユーザ信号は、種々の信号を更なる処理のための各ユニット、例えばスイッチングセンタに送信するチャネルアクセス制御部２３に入力される。本発明によれば、基地局の受信機は、シグナリングシーケンスがあるかどうかを見つけるために受信信号をチェックする整合フィルタ２１を含む。期待された時間の間（検出ウィンドウ）にシグナリングシーケンスが検出された場合、すなわち、少なくとも１つのパルスが生成される場合、これは以下のピーク検出器２２により検出され、例えばプロセッサであり得るチャネルアクセス制御部２３に通知される。チャネルアクセス制御ブロック２３は、このメッセージを、ここでは示されていない回路の下流の更なる制御エレメントに送り、そしてそれは、例えば生成された制御データで、ユーザチャネルを基地局の送信機を介して端末に割当てる。
【００４４】
検出ウィンドウの長さδの期間は固定的に予め定められ得、例えば、ネットワークの通常の動作の前の計測により決定され得る。もう一つの選択肢として、検出ウィンドウの長さδを、運用中に各端末のために個別に決定することが可能である。特定のシグナリングシーケンスのための端末の検出ウィンドウの期間δはこの場合、計測結果が評価された後、ここではこれ以上示されない制御エレメントによりピーク検出器に入力される。例えばＧＳＭ移動無線システムにおいて、基地局と端末の間の距離は、端末から基地局で受信した信号に基づき評価される。
【００４５】
整合フィルタ２１により生成され、ピーク検出器２２により決定されたパルスの情報処理はチャネルアクセス制御部２３にて実行される。特定の検出ウィンドウが端末に割当てられる。少なくとも１つの主パルスがそのような検出ウィンドウに検出されると、チャネルアクセス制御ブロック２３は、端末からユーザチャネルの要求があるとする。この要求及び更なる端末からの要求から、また、既存の接続もしくは割当てられたユーザチャネルを考慮して、ここで示されていない制御エレメントは、チャネルアクセス制御ブロック２３からの要求を受信した後、ユーザチャネルが要求端末にとって使用可能かどうかを決定する。ユーザチャネルの割当てが可能な場合、このユーザチャネルは決定され、基地局の送信機（図７）における処理の後、ブロードキャスト制御チャネルを介して端末に入力される。
【００４６】
図７に示す基地局の送信機はまた、種々のソース２５からデータを受信するチャネルアクセス制御部２４を有する。そのようなソースは、例えば、ユーザデータを生成するスイッチングセンタ、もしくは制御データを供給する制御エレメントであり得る。例えば、これらの制御データは端末で使用されるユーザチャネルに関する情報を含み得、その端末はシグナリングシーケンスにより以前にユーザチャネルを要求したものである。制御部２４に続くブロック２６は、例えば、チャネル符号化、インタリービング、チャネル多重化、及びＣＤＭＡシステムが使用される場合には拡散のスイッチング機能を実行する。ブロック２６の出力信号は変調器２７、デジタル／アナログ変換器２８、中間周波数部２９及び高周波集部を介してアンテナ３１に入力される。２５から３１の全てのエレメントは既存の移動無線システムから知られるエレメントであり得る。
【００４７】
図８に端末の受信機の構成図が示される。この受信機は、例えばＧＳＭ移動無線システムもしくはＣＤＭＡシステムから知られるエレメントとして、アンテナ３２、高周波数部３３、中間周波数部３４、アナログ／デジタル変換器３５、復調器３６、いくつかの機能を有するブロック３７、種々の受け手（例えば、ユーザデータを通話データに変換する低周波数回路）に制御及びユーザデータを供給するチャネルアクセス制御部３８を有する。ブロック３７は、例えば、チャネル多重分離、デインタリービング、チャネル符号化及びＣＤＭＡシステムが使用されるときには逆拡散のスイッチング機能を有する。チャネルアクセス制御部３８は、例えば、ユーザチャネルもしくはブロードキャスト制御チャネルのような端末と関係するあるチャネルを評価する。この情報は、ここでは更には示されない端末における他のある回路エレメントに転送される。チャネルアクセス制御部３８はブロードキャスト制御チャネルから、少なくとも１つのシグナリングシーケンスが転送される開始時間の情報を得る。この情報は少なくとも１つのここでは示されない回路エレメントに送られる。
【００４８】
端末はまた、関連する構成が図９に示される送信機の中に、チャネルアクセスを制御するチャネルアクセス制御部３９を有する。チャネルアクセス制御部３９は、チャネル符号化、インタリービング、チャネル多重及びＣＤＭＡシステムが使用される場合にはまた拡散のスイッチング機能を実行するブロック４２に送信する。更に、チャネルアクセス制御部３９は、シグナリングシーケンスの開始時間をタイムコントローラ４０に示す。ユーザデータと制御データはチャネルアクセス制御ブロック３９によって異なるソースから受信される。そのようなソースは、例えば、ユーザデータとして通話データを生成する低周波数回路もしくは制御データを供給する制御エレメントである。例えば、これらの制御データはシグナリングシーケンスの開始時間についての情報であり得る。タイムコントローラ４０はシグナリングシーケンスを生成するための生成器４１にタイムマークを送る。そのタイムマークは、例えば、シグナリングシーケンスの方形波パルスの開始及び最後の時点であり得る。生成器は種々のシグナリングシーケンスを格納するメモリを有する。送信されるシグナリングシーケンスはチャネルアクセス制御部から選択される。シグナリングシーケンスは適切に生成器４１のメモリに書き込まれ得る。生成器４１及びタイムコントローラエレメント４０は、使用されるシグナリングシーケンス及びシグナリングシーケンスの開始時間に関する情報が受信された後、初期化される。関連する基地局によりシグナリングシーケンス及び／又は開始時間の変化がないと示される場合、生成器４１とタイムコントローラ４０の更なる初期化は必要ない。
【００４９】
ブロック４２において処理されるユーザデータと制御データは重畳回路４３に供給され、重畳回路４３は更に生成器４１の出力信号を受信する。重畳回路４３により生成された出力信号は変調器４４を介してデジタル／アナログ変換器４５、中間周波数部４６及び高周波数部４７に送信され、アンテナ４８により高周波数部にて形成された信号が放射する。
【００５０】
前述したように、シグナリングシーケンスの長さと振幅は、他の信号と干渉を生成し、検出の期間を削減するためにいつも可能なかぎり最小である。シグナリングシーケンスの長さ及び／又は振幅が削減されると、誤りアラームレートの増加が起こる。誤りアラームレートは、整合フィルタの下流に接続されたピーク検出器が、シグナリングシーケンスが送られていないにかかわらず、パルスを検出する確率と等しい。
【００５１】
誤りアラームレートを可能な限り最小にしておくために、好ましくは４０９６のチップ間隔のシグナリングシーケンスが選択されるべきである。そのような長さを有するシグナリングシーケンスの生成は、シグナリングシーケンスとして２５６のチップ間隔を有するゴールドシーケンスと比較して多くの回路とコストを意味する。なぜなら、端末と基地局により大きなメモリが必要で、また、特に基地局の整合フィルタが複雑になりすぎるからである。この回路とコストを削減するために、端末におけるシグナリングシーケンスが少なくとも２つのステップで生成される。第１のステップでは、第１のコードシーケンスが生成され第２のステップで第２のコードシーケンスと連結される。２つのコードシーケンスの連結はシグナリングシーケンスを生成する。その連結により、基地局での整合フィルタが複雑さの削減に繋がる２つのステージで実現される。
【００５２】
例えば、第１のコードシーケンスとして１３の時間間隔を有するバーカーシーケンスを使用することができ、第２のコードシーケンスとして２５６時間間隔を有するゴールドシーケンスを使用できる。連結により３３２８のチップ間隔のシグナリングシーケンスが提供される。連結により、２５６時間間隔からなるゴールドシーケンスの良い自己相関特性が連結されたシグナリングシーケンスに渡される。これは、バーカーシーケンスが最適な非周期性の自己相関機能を有し、それゆえ、ゴールドシーケンスの良い自己相関特性が変わらない、という事実による。
【００５３】
数学的にいえば、２つのコードシーケンスの連結は次のようにして表現され得る。１３の時間間隔を有するバーカーシーケンスである第１のコードシーケンスはｂ（ｔ）で参照され、２５６時間間隔を有するゴールドシーケンスである第２のコードシーケンスはｇ（ｔ）で参照される。Ｔは１つのチップ間隔の時間である。バーカーシーケンスのサンプル値はｔ＝ｉ＊２５６＊Ｔ（ｉ＊２５６＊Ｔ）ｉ＝０、１、．．．１２の時点で現れ、ゴールドシーケンスのサンプル値はｔ＝ｊ＊Ｔ（ｊ＝０、．．．、２５５）の時点で現れる。これら２つのコードシーケンスｂ（ｔ）とｇ（ｔ）の連結は数学的に畳込みｂ（ｔ）＊ｇ（ｔ）として表現され得る。そのような畳込みは、ゴールドシーケンスでのバーカーシーケンスの各サンプル値の拡散と同等である。
【００５４】
バーカーシーケンスとゴールドシーケンスから２つのステップでそのようなシグナリングシーケンスを生成することは、図９に示す端末の送信機の生成器４１において実行され得る。生成器４１はバーカーシーケンスをゴールドシーケンスで拡散し、そして、３３２８のチップ間隔のシグナリングシーケンスを重畳回路４３に送信する。
【００５５】
２つのコードシーケンスからのそのようなシグナリングシーケンスを検出するために、基地局に２連続の接続された整合フィルタを設けることが必要である。
第２の整合フィルタの出力信号はピーク検出器に入力される。第１の整合フィルタは第２のコードシーケンス（２５６時間間隔を有するゴールドシーケンス）に適合し、第２の整合フィルタは第１のコードシーケンス（１３時間間隔を有するバーカーシーケンス）に適合する。シグナリングシーケンスが生じたとき、第２の整合フィルタはその自己相関機能を生成し、主パルスを見つけるためのピーク検出器に入力される。
【００５６】
図６に示す整合フィルタ２１は、２つのコードシーケンスを有するシグナリングシーケンスを検出するために、更なる第２の整合フィルタによって拡張される。第１の整合フィルタ２１は第２のコードシーケンスに適合し、図６には示されていない第２の整合フィルタは、第１の整合フィルタ２１とピーク検出器２２の間に挿入され、第１のコードシーケンスに適合される。
【００５７】
シグナリングシーケンスの検出可能性を更に向上させるために、第２の整合フィルタは、長さが第１のコードシーケンス（バーカーシーケンス）の時間間隔の数と等しいか大きい不整合ＦＩＲフィルタにより置き換えられる。ＦＩＲフィルタ係数は、フィルタの出力信号の全ての副最大値の合計に対する主最大値の比率が第１のコードシーケンス（バーカーシーケンス）に対して最大になるように決定され得る。この比率はまた、異なる数学的形式で表現できる（例えば直交の形式）。
【図面の簡単な説明】
【図１】複数の基地局と端末を有するワイヤレスネットワークを示す図である。
【図２】参照ウィンドウについて基地局で使用される整合フィルタのための検出ウィンドウのシーケンスを示す図である。
【図３】参照ウィンドウについて基地局で使用される整合フィルタのための検出ウィンドウのシーケンスを示す図である。
【図４】２つの端末から送信されたシグナリングシーケンスの２つの例と、それぞれの検出ウィンドウを示す図である。
【図５】ｎビットシグナリング情報を送信するシグナリングシーケンスの検出から発生するピークの位置を示す図である。
【図６】基地局の受信機を示す図である。
【図７】基地局の送信機を示す図である。
【図８】端末の受信機を示す図である。
【図９】端末の送信機を示す図である。
【符号の説明】
１〜３  基地局
４〜１４  端末
１５  アンテナ
１６  高周波数部
１７  中間周波数部
１８  アナログ／デジタル変換器
１９  復調器
２０  ブロック
２１  整合フィルタ
２２  ピーク検出器
２３  チャネルアクセス制御部
２４  チャネルアクセス制御部
２５  ソース
２６  ブロック
２７  変調器
２８  デジタル／アナログ変換器
２９  中間周波数部
３０  高周波数部
３１  アンテナ
３２  アンテナ
３３  高周波数部
３４  中間周波数部
３５  アナログ／デジタル変換器
３６  復調器
３７  ブロック
３８  チャネルアクセス制御部
３９  チャネルアクセス制御部
４０  タイムコントローラ
４１  生成器
４２  ブロック
４３  重畳回路
４４  変調器
４５  デジタル／アナログ変換器
４６  中間周波数部
４７  高周波数部
４８  アンテナ
【図１】
0004504487.tif 000002
【図２】
0004504487.tif 000003
【図３】
0004504487.tif 000004
【図４】
0004504487.tif 000005
【図５】
0004504487.tif 000006
【図６】
0004504487.tif 000007
【図７】
0004504487.tif 000008
【図８】
0004504487.tif 000009
【図９】
0004504487.tif 000010